(57)【要約】【課題】  室外機を冷媒配管から切り離さず、バルコニーの手摺側に容易に仮置きできる室外機仮置き台を提供する【解決手段】  バルコニー３００の手摺１００に取り付けて、バルコニー３００の床に設置された室外機２００を一時的にバルコニー３００の手摺１００に仮置きするための室外機仮置き台１０であって、縦材１と横材２からなるＬ形部材を含み、縦材１の上端に、手摺１００の天端１０２に係止するための鉤部３が設けられ、横材２に室外機２００が仮置きされることを特徴とする。【選択図】図１
0003200577.tif 000002
【実用新案登録請求の範囲】
【請求項１】
バルコニーの手摺に取り付けて、バルコニーの床に設置された室外機を一時的にバルコニーの手摺に仮置きするための室外機仮置き台であって、
縦材と横材からなるＬ形部材を含み、
縦材の上端に、手摺の天端に係止するための鉤部が設けられ、横材に室外機が仮置きされることを特徴とする室外機仮置き台。
【請求項２】
前記縦材が、長さ調整が可能なように、互いに所定の位置で連結可能な上縦材と下縦材とからなり、
上縦材の上端に前記鉤部が取り付けられ、
下縦材の下端に横材が取り付けられている請求項１に記載の室外機仮置き台。
【請求項３】
上縦材と下縦材は、それぞれ高さ方向に複数の貫通孔が配列されており、上縦材と下縦材の一方または両方を高さ方向にスライドさせ、所望の高さ位置で貫通孔同士を一致させ、ピンまたはボルトにより上縦材と下縦材とを固定する請求項２に記載の室外機仮置き台。
【請求項４】
前記鉤部は、縦材の上端から前記横材と反対方向に延び、手摺の天端に載置される載置部と、この載置部の先端から下向きに延びる引掛け部とを備える請求項１〜３のいずれかに記載の室外機仮置き台。
【請求項５】
前記載置部は長さ調整可能である請求項４に記載の室外機仮置き台。
【請求項６】
前記縦材は、載置部の下方に前記引掛け部とで手摺の天端を挟着するための当接部を有する請求項４または５に記載の室外機仮置き台。
【考案の詳細な説明】
【技術分野】
【０００１】
本考案は、バルコニーの床の補修のために、床に設置されているエアコンの室外機を、その取り付け位置から一時的に移動させて仮置きするための室外機仮置き台に関する。
【背景技術】
【０００２】
近年、マンションなどの集合住宅には、通常のバルコニーの他に、サービスバルコニーまたは室外機設置コーナーと呼ばれる、出幅６０ｃｍほどの狭いバルコニーがある。この場所は、エアコンの室外機の置き場などによく使用される。
【０００３】
室外機は、修繕工事などの際には障害となる。そのため、工事の度に一時的に取り外し又は移動させなければならない。特に、バルコニーの床面はウレタン防水仕様となっているケースが多いので、床置きタイプの室外機は、床のウレタン防水工事・床の塩ビシート貼工事・壁塗装工事等の障害となる。
また、室内機と冷媒配管で繋がっている室外機を一時取り外す場合、空調専門業者の工事が必要であった。そのため、室外機の取り外し、取り付け工事が高額になり、さらに、工事期間中は、室外機を冷媒配管から切り離して室内に保管する事になるため、居住者の負担となっていた。
【０００４】
室外機を取り外さずに、冷媒配管の長さ分だけ室外機を一時的に移動または保持する手段は様々提案されている。例えば、特許文献１には、バルコニーの床面から室外機を一時的に吊り上げる装置が記載されている。
しかしながら、このような吊り上げ式の室外機移動装置は、狭いサービスバルコニーでは、手摺側ぎりぎりまで室外機を寄移動することができない。さらに、室外機を吊り上げるためにチェーンレバーホイストのような手動巻取具を使用するなど装置も大掛かりであり、設置や運搬も煩雑であった。
【先行技術文献】
【特許文献】
【０００５】
【特許文献１】特開２００３−０２１３６２号公報
【考案の概要】
【考案が解決しようとする課題】
【０００６】
本考案の課題は、室外機を冷媒配管から切り離さず、バルコニーの手摺側に容易に仮置きできる室外機仮置き台を提供することである。
【課題を解決するための手段】
【０００７】
本考案は、上記課題を解決するべく完成されたものであって、以下の構成からなる。
（１）バルコニーの手摺に取り付けて、バルコニーの床に設置された室外機を一時的にバルコニーの手摺に仮置きするための室外機仮置き台であって、縦材と横材からなるＬ形部材を含み、縦材の上端に、手摺の天端に係止するための鉤部が設けられ、横材に室外機が仮置きされることを特徴とする室外機仮置き台。
（２）前記縦材が、長さ調整が可能なように、互いに所定の位置で連結可能な上縦材と下縦材とからなり、上縦材の上端に前記鉤部が取り付けられ、下縦材の下端に横材が取り付けられている（１）に記載の室外機仮置き台。
（３）上縦材と下縦材は、それぞれ高さ方向に複数の貫通孔が配列されており、上縦材と下縦材の一方または両方を高さ方向にスライドさせ、所望の高さ位置で貫通孔同士を一致させ、ピンまたはボルトにより上縦材と下縦材とを固定する（２）に記載の室外機仮置き台。
（４）前記鉤部は、縦材の上端から前記横材と反対方向に延び、手摺の天端に載置される載置部と、この載置部の先端から下向きに延びる引掛け部とを備える（１）〜（３）のいずれかに記載の室外機仮置き台。
（５）前記載置部は長さ調整可能である（４）に記載の室外機仮置き台。
（６）前記縦材は、載置部の下方に前記引掛け部とで手摺の天端を挟着するための当接部を有する（４）または（５）に記載の室外機仮置き台。
【考案の効果】
【０００８】
本考案によれば、縦材の上端に設けた鉤部により、室外機仮置き台を手摺の天端に係止させ、横材に室外機を仮置きするだけであるので、狭いスペースでも簡単に仮置きできる。
また、縦材が長さ調整可能であるので、冷媒配管の長さなどで変化する室外機の移動範囲に対応できる。
鉤部の載置部の長さ調整が可能であるので、種々の手摺の幅にも対応できる。
この室外機仮置き台は、組立て・分解が容易であるため、設置作業や運搬作業が煩雑にならない。
【図面の簡単な説明】
【０００９】
【図１】本考案の一実施形態に係る室外機仮置き台の使用形態を示す側面図である。
【図２】（ａ）および（ｂ）は本考案の一実施形態に係る室外機仮置き台の使用形態を示す正面図である。
【図３】（ａ）は本考案の一実施形態における下縦材と横材の上面図であり、（ｂ）は側面図、（ｃ）は背面図である。
【図４】（ａ）は本考案の一実施形態における上縦材の上面図であり、（ｂ）は側面図、（ｃ）は背面図である。
【図５】（ａ）は本考案の一実施形態における縦材の長さが最短時の側面図であり、（ｂ）は背面図である。
【図６】（ａ）は本考案の一実施形態における縦材の長さが最長時の側面図であり、（ｂ）は背面図である。
【図７】図５または６に示す下縦材と横材の接続部分の部分拡大図であり、（ａ）は側面図、（ｂ）は背面図、（ｃ）は上面図である。
【図８】（ａ）は本考案の他の実施形態における鉤部の組立前の側面図であり、（ｂ）は組立後の側面図、（ｃ）は背面図である。
【図９】本考案の他の実施形態に係る室外機仮置き台を手摺に取り付けた状態を示す側面図である。
【図１０】（ａ）〜（ｃ）は、本考案の他の実施形態に係る室外機仮置き台をそれぞれ異なる形状の手摺に取り付けた状態を示す側面図である。
【考案を実施するための形態】
【００１０】
以下、本考案の一実施形態に係る室外機仮置き台について、図面を参照して説明する。なお、本考案の室外機仮置き台は、主として集合住宅等におけるバルコニーやベランダ、特に、サービスバルコニーや室外機設置コーナーと呼ばれる狭い場所に設置された室外機を一時的に移動させ、仮置きするために使用される。
【００１１】
図１に示す室外機仮置き台１０は、アルミニウム等の金属製の手摺１００を備えたバルコニー３００において、建物３０１側の床面に設置した室外機２００を、一時的に手摺１００側に仮置きするものであり、縦材１と横材２とを有する。縦材１の上端には、手摺１００の天端１０２に縦材１を係止するための鉤部３が設けられ、横材２に室外機が仮置きされる。
室外機仮置き台１０は、図２（ａ）および（ｂ）に示すように、室外機２００に対して少なくとも２つ使用するのがよい。また、室外機２００の左右に配置した室外機仮置き台１０の横材２同士の間に、予め板状部材（図示せず）を載置し、この板状部材の上に室外機２００を載置してもよい。
【００１２】
室外機仮置き台１０の縦材１は、図１に示すように、一端（上端）に手摺１００の天端１０２に係止する鉤部３を有し、手摺１００の柱部１０１に略平行に設置される。
縦材１は、室外機２００に接続された冷媒配管の長さや室外機２００の大きさ等に応じて、長さ調整可能に形成されている（図２（ａ）、（ｂ））。
【００１３】
縦材１は、図３（ａ）〜（ｃ）に示すように、下端に横材２を設けた下縦材１２と、図４（ａ）〜（ｃ）に示すように、上端に鉤部３を設けた上縦材１１とからなり、上縦材１１と下縦材１２は、それぞれ高さ方向に複数の貫通孔６、６’が配列されたものである。一方の貫通孔６の他方の貫通孔６’との反対側には、ナット６２が配置され、上縦材１１に溶接して固定されている。
【００１４】
縦材１の材質や形状は、軽量で剛性があるならば特に限定されない。材質としては、金属、木材、樹脂などが挙げられ、特にアルミニウムやステンレスがよい。また形状としては、軽量化の点から棒状部材や板状部材などが挙げられ、特にアングル材で形成されているのがよい。
【００１５】
横材２は、図３（ａ）〜（ｃ）に示すように、縦材１または下縦材１２の下端に取り付けられ、かつ縦材１または上縦材１１の上端に取り付けられた鉤部３と反対方向に延び、室外機２００を仮置きするための部材である。
室外機２００の底面と接する横材２の表面には、滑り止めとしてゴム、布、樹脂などを貼付けていてもよい。横材２の材質や形状は、軽量で剛性があるならば特に限定されない。
横材２は、室外機２００が落下しないように、室外機２００を手摺１００側にやや傾かせる上向きの勾配を有するのがよい。
【００１６】
横材２の手摺１００側の後端面には、図３（ａ）〜（ｃ）に示すように、手摺１００の柱部１０１や壁面などに当接して室外機仮置き台１０を安定させる当接材２２が設けられてもよい。当接材２２は、バルコニーの手摺や壁面を傷つけないように、表面にゴム、布、樹脂などの緩衝材が貼付けされていてもよく、例えば、厚さ２ｍｍ程度のウレタンゴムが挙げられる。また、この当接材２２は、手摺の柱部に嵌着するような凹状であってもよい。
【００１７】
鉤部３は、図４（ａ）〜（ｃ）に示すように、上縦材１１の上端に一体に形成され、横材２と手摺１００を挟んで反対方向に延び、手摺１００の天端１０２に係止し、室外機仮置き台１０を保持する部材である。
鉤部３は、手摺１００の天端１０２上に載置される載置部３１と、この載置部３１の先端からバルコニー３００の床面へ下向きに延び、天端１０２に係止する引掛け部３２とを備える。
鉤部３の載置部３１から引掛け部３２にかけてＬ字形の平板３１１が溶接されており、天端１０２の上面に当接する。載置部３１の下面には、天端１０２を傷付けないように、ゴム、布、樹脂などの緩衝材が貼り付けられていてもよい。
鉤部３の引掛け部３２は、載置部３１の先端に連結され、バルコニー３００や建物３０１とは反対方向の天端１０２側面に係止される板状部材である。引掛け部３２において、天端１０２の側面との接触面にも平板３１１が溶接されていてもよい。
【００１８】
図５（ａ）および（ｂ）、図６（ａ）および（ｂ）は、それぞれ室外機仮置き台１０の最短の長さと最長の長さとを示している。
縦材１の長さ調整は、上縦材１１と下縦材１２の一方または両方を高さ方向にスライドさせ、所望の高さ位置で貫通孔６、６’を一致させ、ボルト６１を一致した貫通孔６、６’に挿通し、ナット６２に螺合させて固定することで行う。なお、ボルト６１とナット６２に代えて、ピン（図示せず）を使用して上縦材１１と下縦材１２とを接続してもよい。縦材１は、上縦材１１と下縦材１２とを現場で組立て・分解が容易であるので設置作業や運搬作業が煩雑にならない。
なお、ボルト６１は少なくとも１つの貫通孔６，６’を挿通すればよいが、室外機２００の重さによっては、複数のボルト６１で複数の貫通孔６，６’を挿通させてもよい。
【００１９】
横材２は、図５（ａ）および（ｂ）、図６（ａ）および（ｂ）にそれぞれ矢印で示すように、縦材１（下縦材１２）と軸２１で軸着され、載置した室外機２００を落下させないために勾配を付けることができる。また、軸２１によって運搬時や不使用時には横材２を縦材１側へ折畳むことができる。
【００２０】
さらに、横材２は、図７（ａ）〜（ｃ）に示すように、軸２１で縦材１と接続された端部にストッパー２３を備える。このストッパー２３は、縦材１の端部と接触して、室外機２００を載置した状態で横材２が一定角度以上下方へ傾くことを阻止でき、室外機２００が落下するのを防止することができる。
【００２１】
本実施形態の室外機仮置き台１０を設置するには、以下の手順（ｉ）〜（ｉｉｉ）を行う。
（ｉ）バルコニー３００にて室外機２００の冷媒配管が届く距離の手摺１００の天端１０２に、少なくとも一対の室外機仮置き台１０の縦材１を、縦材１の上端の鉤部３を用いて係止する。
（ｉｉ）室外機仮置き台１０の縦材１の長さ（高さ）を調整する。縦材１の長さは、上縦材１１と下縦材１２の一方または両方を高さ方向にスライドさせ、所望の高さでそれぞれに設けた貫通孔６，６’同士を一致させ、ボルト６１とこれに螺合させたナット６２で固定する。
（ｉｉｉ）縦材１（下縦材１２）に横材２をＬ形に固定し、室外機仮置き台１０の設置が完了する。この後、室外２００を横材２上に載置する。
なお、（ｉ）と（ｉｉ）は順序が逆であってもよい。バルコニー３００の床面工事終了後は、室外機２００をバルコニー３００に戻し、室外機仮置き台１０を手摺１００から撤去し、分解して運搬することができる。
【００２２】
このようにして、縦材１の上端に設けた鉤部３により、室外機仮置き台１０を手摺や壁面の天端に係止させ、横材２により室外機２００を下部から支持して、冷媒配管の届く範囲で室外機を手摺側に一時的に仮置きすることができる。そのため、作業者は室外機を一時的に撤去した状態でバルコニーの床面の修繕工事を行うことができる。
【００２３】
本考案の他の実施形態を図８（ａ）〜（ｃ）に示す。鉤部３の載置部３１’は、手摺の幅に応じて、長さ調整が可能となるように、載置部３１’の先端に延長部４を取り付けている。この載置部３１’は先端にかけて平板３１１ａが溶接されており、手摺の天端に当接する。
延長部４は、一端が載置部３１の先端に取り付けられ、他端に引掛け部３２を備え、一端からこの引掛け部３２にかけてＬ字形の平板３１１ｂが溶接されており、手摺の天端の上面に当接するものである。また、延長部４と載置部３１’は、それぞれ接続される一端にボルト挿通孔５１、５１’と、長手方向に設けたスリット５とを有しており、平板３１１ａと平板３１１ｂは互いにスライド可能に重ね合わせ、平板３１１’とすることができる。
すなわち、手摺の幅に応じて、鉤部３の載置部３１’の長さ調整を行う場合、延長部４を載置部３１’から所定長さに平板３１１ａと平板３１１ｂをスライドさせて引き出し、任意の位置で、図８（ｃ）に示すように、ボルト５２をスリット５とボルト挿通孔５１とに挿通させ、ボルト５２に反対側の面からナット５３を螺合させて固定すればよい。
【００２４】
また、図８（ａ）および（ｂ）に示すように、載置部３１’の下方には、引掛け部３２とで手摺１００の天端１０２を挟着するための当接部７が設けられる。当接部７は、載置部３１’の下方に軸７１で軸着されて設けられる。この当接部７は不使用時には載置部３１の内側へ収容されており、使用時には、使用者が軸７１を回転させて引掛け部３２側へ引き出して使用する。
【００２５】
当接部７は、主に係止するバルコニーの手摺の幅が載置部３１の長さよりも短く、載置部３１を載置した時に引掛け部３２との間に間隙が生じる場合に使用される。例えば、図９に示すように、トップレール１１１の幅が鉤部３の載置部３１より狭い場合、載置部３１の下方に設けた当接部７を用いて、引掛け部３２との間にてトップレール１１１を挟着し、係止することができる。このように、当接部７がトップレール１１１の側面と当接することで、室外機仮置き台１０を安定させることができる。当接部７の前面には、緩衝材が設けられていてもよい。
【００２６】
図１０（ａ）〜（ｃ）は、コンクリート手摺の幅が鉤部３の載置部３１より広い場合に、本考案の室外機仮置き台を設置した状態を示している。
図１０（ａ）〜（ｃ）に示す、コンクリート手摺１２１，１２２，１２３は、手摺の幅が１２０〜２００ｍｍの間で形成されるため、鉤部３の載置部３１に延長部４を取り付け、載置部３１の長さを手摺の幅ごとに調整する。
平板３１１’の長さは、前述したように、平板３１１ａと平板３１１ｂに設けたスリット５とボルト挿通孔５１を使用し、延長部４を移動させて調整することができるので、広幅のコンクリート手摺１２１，１２２，１２３であっても室外機仮置き台１０を安定させることができる。
【００２７】
以上述べたように、本考案の室外機仮置き台１０は、たとえ狭いバルコニーであっても、手摺を利用して簡単に室外機を仮置きすることができる。また、縦材１が上縦材１１と下縦材１２とで構成され、長さ調整が可能であるので、種々の高さの手摺にも対応することができる。また、通常の手摺の幅は２０〜２００ｍｍの範囲で様々であるが、本考案の室外機仮置き台の鉤部３の載置部３１は、延長部４を使用することで長さ調整可能であり、幅広の手摺の場合に対応でき、かつ狭幅の手摺の場合には当接部７を使用することで対応できる。そのため、バルコニーの手摺が、たとえ、アルミ、トップレール、コンクリートなどのいずれであっても、種々の幅や材質に対応することができる。
また、本考案の室外機仮置き台１０は、各部材が軽量で分解・組立てが容易であるので、作業者が一人で設置・撤去を行なうことができる。
【００２８】
なお、本考案では縦材１と横材２は棒状部材を２つ使用したが、縦材１と横材２は板状部材であってもよい。また、縦材１は、上縦材１１と下縦材１２の２つの部材から構成するのでなく、一本のみであってもよい。
【符号の説明】
【００２９】
１    縦材
２    横材
３    鉤部
４    延長部
５    スリット
６，６’  貫通孔
７    当接部
７１  軸
１０  室外機仮置き台
１１  上縦材
１２  下縦材
２１  軸
２２  当接材
２３  ストッパー
３１  載置部
３２  引掛け部
５１  ボルト挿通孔
６１  ボルト
１００  手摺
１０１  柱部
１０２  天端
１２１、１２２、１２３  コンクリート手摺
１１１  トップレール
２００  室外機
３００  バルコニー
３０１  建物
３１１、３１１’  平板
【図１】
0003200577.tif 000003
【図２】
0003200577.tif 000004
【図３】
0003200577.tif 000005
【図４】
0003200577.tif 000006
【図５】
0003200577.tif 000007
【図６】
0003200577.tif 000008
【図７】
0003200577.tif 000009
【図８】
0003200577.tif 000010
【図９】
0003200577.tif 000011
【図１０】
0003200577.tif 000012